(57)【要約】【課題】眼科撮影装置において、被検者の眼の遮光自体と、遮光状態と非遮光状態の切り換えを簡単に行なえ、操作性を向上できる構成を提供する。【解決手段】顎台２９を支持する左右の支柱２８のそれぞれに、被検者３２の眼に外部光が入射するのを防ぐための遮光板３１（Ｒ），３１（Ｌ）が水平に回動可能に設けられ、検者がこれを手動で回動させることにより、右眼の前方を遮光して左眼の前方を遮光しない第１の遮光状態と、左眼の前方を遮光して右眼の前方を遮光しない第２の遮光状態と、両眼とも前方を遮光しない非遮光状態に切り換えられる。また、前記第１の遮光状態、第２の遮光状態、及び非遮光状態のいずれであるかを検出し、その結果に応じて、左右の内部固視灯の点灯、消灯を制御する、ないしは撮影モードを例えば散瞳撮影モードまたは無散瞳撮影モードに切り換える。【選択図】        図２
2005006870.tif 000002
【特許請求の範囲】
【請求項１】
被検者の眼に外部光が入射するのを防ぐための遮光板であって、右眼の前方を遮光して左眼の前方を遮光しない第１の遮光状態と、左眼の前方を遮光して右眼の前方を遮光しない第２の遮光状態と、両眼とも前方を遮光しない非遮光状態に切り換えられるように動作可能な遮光板を備えたことを特徴とする眼科撮影装置。
【請求項２】
前記遮光板の状態が前記第１の遮光状態、第２の遮光状態、及び非遮光状態のいずれであるかを検出する検出手段と、該検出手段の検出結果に応じて、眼科撮影装置に設けられた左右の内部固視灯の点灯、消灯を制御する制御手段を有することを特徴とする請求項１に記載の眼科撮影装置。
【請求項３】
前記遮光板の状態が前記第１の遮光状態、第２の遮光状態、及び非遮光状態のいずれであるかを検出する検出手段と、該検出手段の検出結果に応じて眼科撮影装置の撮影モードを切り換える制御手段を有することを特徴とする請求項１に記載の眼科撮影装置。
【請求項４】
前記制御手段は、前記検出手段の検出結果に応じて、眼科撮影装置の撮影モードを散瞳撮影モードまたは無散瞳撮影モードに切り換えることを特徴とする請求項３に記載の眼科撮影装置。
【請求項５】
顎台を支持する支柱を有し、前記遮光板は前記支柱に取り付けられたことを特徴とする請求項１から４までのいずれか１項に記載の眼科撮影装置。
【請求項６】
眼科撮影装置の対物レンズと被検眼の間の空間の周囲の少なくとも一部を覆う部材が前記遮光板に設けられたことを特徴とする請求項１から５までのいずれか１項に記載の眼科撮影装置。
【発明の詳細な説明】
【０００１】
【発明の属する技術分野】
本発明は、眼底カメラなどの眼科撮影装置に関し、特に被検者の眼に外部光が入射するのを防ぐための遮光板を備えた眼科撮影装置に関するものである。
【０００２】
【従来の技術】
眼底カメラなどの眼科撮影装置の使用時には、被検眼で反射された外部光が光学系に入射して観察ないし撮影に不都合を起こさないようにするため、また特に無散瞳撮影時には被検眼の縮瞳を防止するため、被検者の眼（被検眼及び被検眼でない方の眼）に外部光が入射するのを防ぐことが必要である。
【０００３】
このため、従来では、例えば下記の特許文献１に示されているように、眼科撮影装置の正面側（被検者側）に暗幕を垂れ掛けて遮光することが通常行なわれている。特許文献１では、暗幕を垂れ掛ける一対の支柱が眼科撮影装置の本体に取り付けられる。
【０００４】
【特許文献１】
特開２００２−２０９８５６号公報
【０００５】
【発明が解決しようとする課題】
しかしながら、暗幕を使用するために、暗幕を用意し、支柱を眼科撮影装置の本体に取り付け、暗幕を垂れ掛けて装着することは煩わしい。特に、散瞳撮影と無散瞳撮影を行なう眼科撮影装置では、無散瞳撮影の時にのみ遮光するため暗幕が必要なので、散瞳と無散瞳の撮影モードの切り換えの度に暗幕を装着または撤去するのは非常に手間がかかり煩わしい。
【０００６】
そこで本発明の課題は、眼科撮影装置において、被検者の眼に外部光が入射するのを防ぐための遮光自体と、遮光状態と非遮光状態の切り換えを簡単に行なえ、操作性を向上できる構成を提供することにある。
【０００７】
【課題を解決するための手段】
上記の課題を解決するため、本発明によれば、被検者の眼に外部光が入射するのを防ぐための遮光板であって、右眼の前方を遮光して左眼の前方を遮光しない第１の遮光状態と、左眼の前方を遮光して右眼の前方を遮光しない第２の遮光状態と、両眼とも前方を遮光しない非遮光状態に切り換えられるように動作可能な遮光板を備えた眼科撮影装置の構成を採用した。
【０００８】
【発明の実施の形態】
以下、図を参照して本発明の実施の形態を説明する。ここでは、散瞳撮影と無散瞳撮影が可能な眼底カメラにおける実施形態を示す。
【０００９】
［第１の実施形態］
図１は、本発明の第１の実施形態による眼底カメラの全体の外観を示している。眼底カメラ本体２５は、操作レバー２６とそれに付随した操作リング２６ａの操作により、架台２７上を前後左右方向並びに上下方向に移動できるように構成されており、さらに被検眼を中心に水平面内で回動できると共に、垂直面内でも回動できるようになっていて、被検眼に対して位置合わせ（アライメント）できるようになっている。
【００１０】
眼底カメラ本体２５内には、図３に示した光学系が設けられている。この光学系において、ハロゲンランプなどの観察用光源１からの光束は、凹面鏡２で集光されたあと、撮影用光源であるストロボ３、コンデンサーレンズ４を経てミラー５で反射された後、リングスリット７、リレーレンズ９，１０を通過して孔あき全反射ミラー１１で反射され、対物レンズ１２により被検眼Ｅの瞳Ｅｐで結像された後、眼底Ｅｒに入射する。なお、この眼底照明光学系において、無散瞳撮影モード時には赤外フィルタ６が観察用光源１の前で光路に挿入され、散瞳撮影モード時には光路から離脱させられる。
【００１１】
被検眼Ｅの眼底Ｅｒからの反射光は、再び瞳Ｅｐの中心部を通過して対物レンズ１２を介して受光され、孔あき全反射ミラー１１の孔を通過し、撮影光学系の光路に配置された撮影絞り１３、フォーカスレンズ１４，１５、結像レンズ１６を通過してリターンミラー１８に入射する。リターンミラー１８上に設けられたリターンミラー１９は、散瞳撮影モード時には図示のように光路に挿入され、無散瞳撮影モード時には光路から離脱させられる。
【００１２】
散瞳撮影モード時には、リターンミラー１８で反射された眼底からの光束は、リターンミラー１９で反射され肉眼観察光学系を構成する接眼レンズ２０に入射するので、検者は接眼レンズ２０を介して眼底像を観察し、アライメントや焦点合わせを行なうことができる。
【００１３】
また、無散瞳撮影モード時には、リターンミラー１９が光路から離脱するので、リターンミラー１８で反射された眼底からの光束はミラー２１により反射されて赤外光用観察光学系に入射する。この赤外光用観察光学系は、赤外光に感度を有する赤外ＣＣＤ２２を有し、これにより撮像された赤外眼底像（動画像）がモニタ２３に表示される。検者は眼底像をモニタ２３で観察しながら、アライメントや焦点合わせを行うことができる。
【００１４】
そして、いずれのモードの場合も、検者がアライメント、焦点合わせを完了した後に、操作レバー２６上のシャッターボタン２６ｂを操作することにより、ストロボ３が発光し、そのときリターンミラー１８が光路から離脱させられるので、眼底画像を３５ｍｍフィルム等の写真フィルム２４上にカラー撮影することができる。
【００１５】
一方、図１及び図２（Ａ），（Ｂ）に示すように、眼底カメラの架台２７の正面側（被検者側）の端部には、顎台２９と額当て３０を支持する左右一対の支柱２８が立設されており、この支柱２８のそれぞれに、被検者３２の眼に外部光が入射するのを防ぐための遮光板３１が取り付けられている。図２（Ａ），（Ｂ）中で遮光板３１の左右の区別をカッコ内の符号Ｌ，Ｒで示してある。左側の遮光板３１（Ｌ）と右側の遮光板３１（Ｒ）は、互いに左右対称の形状となっており、それぞれ基端部に形成された円筒状のヒンジ部３１ａを左右の支柱２８のそれぞれに嵌合させて、図２（Ａ）中に矢印で示すように支柱２８のそれぞれに対し水平方向に回動可能に取り付けられている。また中間部３１ｂは長方形で略Ｌ字形に屈曲した形状に形成され、先端部３１ｃは長方形で図２（Ａ）に示すように中間部３１ｂに対し直角に屈曲され、さらに（Ｂ）に示すように前後方向に向かって見て略コの字形に屈曲された形状に形成されている。
【００１６】
また、遮光板３１（Ｒ），３１（Ｌ）は、それぞれ不図示のストッパにより回動範囲を規制されており、図２（Ａ）中で遮光板３１（Ｒ）について示す遮光位置、すなわち中間部３１ｂと先端部３１ｃが被検者の両眼に平行に対向する位置から所定の非遮光位置（退避位置）、例えば図２（Ａ）中で遮光板３１（Ｌ）について示す位置であって遮光位置から９０°回動した位置までの範囲で回動可能となっている。なお回動範囲は９０°に限らないことは勿論である。また、非遮光位置は、遮光位置から充分に離れて非遮光状態になる位置であればよく、特定角度の回動位置に限定しなくてよい。ただし、被検者３２の安全のために回動範囲は限定する。
【００１７】
このような遮光板３１を検者が手動で回動させて遮光とその解除を行なう。
【００１８】
図２（Ａ），（Ｂ）は被検者３２の被検眼Ｅとして左眼の無散瞳撮影を行うために、遮光板３１（Ｒ）で遮光を行なっている状態を示している。この状態では、被検者３２の右眼は遮光板３１（Ｒ）の中間部３１ｂにより前方（眼底カメラ本体２５側）と側方が遮光されて充分に遮光され、右眼が外部光の入射で縮瞳して左眼もつられて縮瞳することを防止できる。また、左眼については、前方が遮光板３１（Ｒ）ないし３１（Ｌ）によっては遮光されないものの対物レンズ１２により遮光され、さらに対物レンズ１２と左眼（被検眼Ｅ）の間の空間の周囲の上下と右側が遮光板３１（Ｒ）の先端部３１ｃにより覆われて遮光されるので、実質上問題なく遮光される。すなわち、左側から僅かに外部光が入射するが実質上問題ない。
【００１９】
また、右眼の無散瞳撮影を行う場合、遮光板３１（Ｒ）を図示した遮光位置から非遮光位置へ時計方向に例えば９０°回動させた後、眼底カメラ本体２５を右方向に対物レンズ１２が右眼に正対する位置に移動し、その後、遮光板３１（Ｌ）を図示した非遮光位置から遮光位置へ時計方向に例えば９０°回動させる。これにより図示の状態と左右が逆の状態で遮光がなされる。
【００２０】
さらに、左右の眼のいずれかの散瞳撮影を行う場合、遮光板３１（Ｒ），３１（Ｌ）の両方を非遮光位置に回動させ、両眼ともに非遮光状態とする。
【００２１】
ところで、本実施形態では、上述した遮光板３１（Ｒ），３１（Ｌ）による右左の遮光状態と非遮光状態の切り換えに連動して、撮影モードを散瞳撮影モードまたは無散瞳撮影モードに切り換えるように制御するとともに、内部固視灯の点灯、消灯を制御する。
【００２２】
図４はその制御に関わる眼底カメラの制御系の要部の構成を示している。遮光板位置センサ３３（Ｒ），３３（Ｌ）は、それぞれ遮光板３１（Ｒ），３１（Ｌ）が遮光位置にあるか非遮光位置にあるかを検出するもので、マイクロスイッチなどで構成され、ここでは遮光位置にあることを検出したときの出力を「１」、非遮光位置にあることを検出したときの出力を「０」とする。
【００２３】
その検出出力は、眼底カメラ全体の制御を行なうマイクロコンピュータなどから構成された制御部３４に入力される。制御部３４はセンサ３３（Ｒ），３３（Ｌ）の出力に応じて、内部固視灯駆動回路３５を介して、眼底カメラに設けられた右眼用と左眼用の内部固視灯３６（Ｒ），３６（Ｌ）の点灯、消灯を制御する。また、無散瞳撮影モードと散瞳撮影モードを切り換える。具体的にはミラー駆動回路３７を介して図３中のリターンミラー１９の光路に対する挿入、離脱を切り換え、赤外フィルタ駆動回路３８を介して赤外フィルタ６の光路に対する挿入、離脱を切り換えるように制御する。
【００２４】
図５は、その制御内容を示している。図２（Ａ），（Ｂ）に示した遮光板３１（Ｒ）による遮光状態では、図５の上段に示すように遮光板位置センサ３３（Ｒ），３３（Ｌ）の出力は、それぞれ「１」と「０」になる。これにより左眼の無散瞳撮影のための遮光板３１（Ｒ）による遮光状態であることが検出され、これに応じて制御部３４は、赤外フィルタ６を光路に挿入し、リターンミラー１９を光路から離脱させるように制御し、撮影モードを無散瞳モードとする。また、右眼用の内部固視灯３６（Ｒ）を消灯、左眼用の内部固視灯３６（Ｌ）を点灯させる。
【００２５】
また、遮光板３１（Ｌ）による遮光状態では、図５の中段に示すように遮光板位置センサ３３（Ｒ），３３（Ｌ）の出力は、それぞれ「０」と「１」になる。これにより右眼の無散瞳撮影のための遮光板３１（Ｌ）による遮光状態であることが検出され、これに応じて制御部３４は、同様に赤外フィルタ６の挿入、リターンミラー１９の離脱を行なって撮影モードを無散瞳モードとする一方、内部固視灯３６（Ｒ）を点灯、３６（Ｌ）を消灯させる。
【００２６】
また、遮光板３１（Ｒ），３１（Ｌ）が共に非遮光位置にある状態、すなわち両眼とも遮光しない非遮光状態にある場合、図５の下段に示すように遮光板位置センサ３３（Ｒ），３３（Ｌ）の出力は、ともに「０」になる。これにより散瞳撮影のため、両眼とも非遮光状態であることが検出され、これに応じて制御部３４は、赤外フィルタ６を離脱させ、リターンミラー１９を挿入させて撮影モードを散瞳モードとすると共に、内部固視灯３６（Ｒ），３６（Ｌ）を共に消灯させる。
【００２７】
なお、本実施形態の遮光板３１（Ｒ），３１（Ｌ）は、両者を共に（同時に）遮光位置に位置させることは不可能であるが、後述する第２〜第４の実施形態では可能である。その場合、両者共に遮光位置にあって遮光板位置センサ３３（Ｒ），３３（Ｌ）の出力が共に「１」になったら、制御部３４は、検者にエラーを報知する警告の出力をモニタ２３や他の表示手段、或いはブザーなどにより行なったり、眼底カメラの電源をオフしたりするようにしてもよい。
【００２８】
以上のような本実施形態によれば、検者が手動で遮光板３１（Ｒ），３１（Ｌ）を回動させるだけで、左眼の無散瞳撮影のための遮光状態（図２の遮光状態）と、右眼の無散瞳撮影のための遮光状態と、散瞳撮影のための両眼ともにの非遮光状態に切り換えることができ、遮光自体と、遮光状態と非遮光状態の切り換えを非常に簡単に行なうことができる。
【００２９】
また、遮光板３１（Ｒ），３１（Ｌ）の回動による上記２つの遮光状態と非遮光状態の切り換えに応じて、内部固視灯３６（Ｒ），３６（Ｌ）の点灯、消灯が制御されると共に、撮影モードが無散瞳撮影モード或いは散瞳モードに切り換えられる、具体的には赤外フィルタ６とリターンミラー１９の光路に対する挿入、離脱が制御されるので、検者は内部固視灯３６（Ｒ），３６（Ｌ）の点灯、消灯の制御と、無散瞳撮影モードと散瞳撮影モードの切り換えのために特別に操作を行なう必要がなく、眼底カメラの操作を簡単にし、操作性を向上することができる。
【００３０】
なお、本実施形態とは逆に遮光板３１を撮影モードや内部固視灯の選択に応じて駆動機構により自動的に回動させることも当然可能であるが、被検者３２の安全を考慮すると、検者が手動で回動させる方がよい。
【００３１】
ところで、遮光板の構造は上記のものに限らないことは勿論であり、以下に他の実施形態を示す。
【００３２】
［第２の実施形態］
図６（Ａ），（Ｂ）に示した第２の実施形態では、遮光板３９（Ｒ），３９（Ｌ）は、長方形で略Ｌ字形に屈曲した形状に形成され、それぞれ基端部に形成された円筒状のヒンジ部３９ａを左右の支柱２８のそれぞれに嵌合させて、支柱２８のそれぞれに対して図６（Ａ）中に矢印で示すように水平方向に回動可能に取り付けられている。そして、遮光板３９（Ｒ）について示す遮光位置と、それからずれた非遮光位置、例えば遮光板３９（Ｌ）について示す位置に手動で回動可能になっている。
【００３３】
このような構造によっても、第１の実施形態と同様に、検者が手動で遮光板３９（Ｒ），３９（Ｌ）を回動させることにより、図６（Ａ），（Ｂ）に示した左眼（被検眼Ｅ）の無散瞳撮影のための遮光状態と、その逆の右眼の無散瞳撮影のための遮光状態と、散瞳撮影のための両眼ともにの非遮光状態に切り換えることができる。但し、遮光性能は第１の実施形態より落ちるが、遮光板の形状、構造が簡単であり安価に作製できる。
【００３４】
［第３の実施形態］
図７及び図８（Ａ），（Ｂ）に示す第３の実施形態では、略コの字形に屈曲した長方形状に形成された遮光板ホルダ４０が両端部に形成された円筒状の嵌合部４０ｂを左右の支柱２８のそれぞれに嵌合させて支柱２８に取り付けられており、この遮光板ホルダ４０には、被検者３２の右左の眼に対向する位置のそれぞれに孔４０ａ（Ｒ），４０ａ（Ｌ）が形成されている。
【００３５】
そして、遮光板ホルダ４０の前面の右左に、それぞれ下半部に孔４１ａが形成された長方形の遮光板４１（Ｒ），４１（Ｌ）が不図示のガイド部材を介して上下方向にスライド可能に取り付けられており、それぞれ検者が手動により図中で遮光板４１（Ｒ）について示す下方の遮光位置と、遮光板４１（Ｌ）について示す上方の非遮光位置にスライドさせることができる。
【００３６】
図７及び図８（Ａ），（Ｂ）は、被検者３２の被検眼Ｅとして左眼の無散瞳撮影を行うために遮光を行なっている状態を示している。この状態では、遮光位置にある遮光板４１（Ｒ）が遮光板ホルダ４０の孔４０ａ（Ｒ）を塞ぐことで被検者３２の右眼の前方が遮光され、右眼の側方は遮光板ホルダ４０により遮光される。また、非遮光位置にある遮光板４１（Ｌ）の孔４１ａの位置が遮光板ホルダ４０の孔４０ａ（Ｌ）に一致して孔４０ａ（Ｌ）が開放され、それに臨む被検眼Ｅ（左眼）に対物レンズ１２を対向させて撮影を行うことができる。その際に被検眼Ｅの前方は遮光板４１（Ｌ）によっては遮光されないものの対物レンズ１２により遮光されるので問題ない。
【００３７】
右眼の無散瞳撮影を行う場合は、遮光板４１（Ｒ）を非遮光位置、４１（Ｌ）を遮光位置にスライドさせることにより、上記と左右が逆の遮光状態になる。さらに、散瞳撮影を行う場合は、遮光板４１（Ｒ），４１（Ｌ）を共に非遮光位置にスライドさせることにより、両眼とも前方が遮光板４１（Ｒ），４１（Ｌ）によって遮光されない状態となる。
【００３８】
このような本実施形態によれば第１及び第２の実施形態と同様の効果が得られる。
【００３９】
［第４の実施形態］
図９及び図１０（Ａ），（Ｂ）に示す第４の実施形態では、第３の実施形態の遮光板ホルダ４０と同様の遮光板ホルダ４２が支柱２８に取り付けられており、その前面の右左に長方形の遮光板４４（Ｒ），４４（Ｌ）が遮光板ホルダ４０の前面上端部に設けられた軸４３を支点として図９中に矢印で示すように上下方向に回動可能に取り付けられており、それぞれ検者が手動により、図中で遮光板４１（Ｒ）について示す下方に垂直になる遮光位置と、例えば図中で遮光板４１（Ｌ）について示す水平な非遮光位置に回動できるようになっている。
【００４０】
そして、遮光板４４（Ｒ）ないし４４（Ｌ）を遮光位置に回動させることにより、遮光板ホルダ４２に形成された孔４２ａ（Ｒ）ないし４２ａ（Ｌ）が塞がれ、それに臨む被検者３２の眼の前方が遮光され、その眼の側方も遮光板ホルダ４２により遮光される。また、遮光板４４（Ｒ）ないし４４（Ｌ）を非遮光位置に回動させることにより、遮光板ホルダ４２の孔４２ａ（Ｒ）ないし４２ａ（Ｌ）を開放し、それに臨む被検者３２の眼に対物レンズ１２を対向させて撮影を行うことができる。このような本実施形態によれば第１〜第３、特に第３の実施形態と同様の効果が得られる。
【００４１】
［第５の実施形態］
図１１及び図１２に示す第５の実施形態では、中間部が略コの字形に屈曲した長方形状の遮光板ホルダ４５がその被検者３２側の面の左右両端部の上下に設けられたΩ字形の係合部材４６のそれぞれを左右の支柱２８のそれぞれに形成された小径部２８ａに着脱可能に係合させることにより、支柱２８のそれぞれに対して矢印Ａ，Ｂ方向（被検者３２側方向と対物レンズ１２側方向）に着脱可能に取り付けられる。
【００４２】
この遮光板ホルダ４５の中間部の対物レンズ１２側の面に長方形の遮光板４７が左右両側に設けられたガイド部材４８のそれぞれに案内されて矢印Ｌ，Ｒで示すように左右方向にスライド可能に取り付けられている。遮光板４７の中央部には正方形の筒部４７ａが対物レンズ１２側に突出して形成されており、この筒部４７ａの両端は開口している。また、遮光板ホルダ４５の中間部には左右方向の長さが筒部４７ａの内側の孔の２倍以上ある長孔４５ａが形成されている。
【００４３】
このような遮光板ホルダ４５と遮光板４７からなるユニットは、無散瞳撮影時に図１１の上段と図１２に示すように支柱２８に装着され、被検者３２の眼の遮光に用いられる。図１２は左眼を被検眼Ｅとして無散瞳撮影を行う場合の遮光状態を示している。この場合、検者が手動により遮光板４７を矢印Ｌで示す左方向にスライドさせ、筒部４７ａが左眼の前方に位置する位置にスライドさせる。この状態では、遮光板ホルダ４５の長孔４５ａの右側部分が遮光板４７により塞がれることにより右眼の前方が遮光され、右眼の側方も遮光板ホルダ４５により遮光される。また、長孔４５ａの左側部分は遮光板４７の筒部４７ａの孔により開放されるので、筒部４７ａの孔と孔４５ａを介して対物レンズ１２を被検眼Ｅである左眼に対向させ、撮影することができる。その際に対物レンズ１２と左眼の間の空間の周囲の四方全部が筒部４７ａにより覆われて遮光され、左眼の前方は遮光板４７により遮光されないものの対物レンズ１２により遮光されるので、左眼も充分に遮光することができる。
【００４４】
右眼の無散瞳撮影を行う場合は、遮光板４７を矢印Ｒで示す右方向にスライドさせ、筒部４７ａが右眼の前方に位置する位置にスライドさせる。また、散瞳撮影を行う場合は、図１１の下段に示すように、遮光板ホルダ４５と遮光板４７のユニットを支柱２８から取り外し、これを用いずに撮影を行う。
【００４５】
このような本実施形態によれば第１〜第４の実施形態と同様の効果が得られる。但し、第１の実施形態と同様に、遮光状態と非遮光状態の切り換えに応じて、内部固視灯の点灯、消灯と散瞳撮影モード、無散瞳撮影モードの切り換えの制御を行なう場合、遮光板４７が主に右眼を遮光する位置（図１２の位置）と、主に左眼を遮光する位置のいずれにあるかを検出する位置センサを設けると共に、遮光板ホルダ４５と遮光板４７のユニットの支柱２８に対する着脱を検出するセンサを設け、これらのセンサの出力に応じて制御を行なう必要がある。
【００４６】
［第６の実施形態］
図１３及び図１４（Ａ），（Ｂ）に示す第６の実施形態では、遮光板４９は、両端が開口した円筒状の筒部４９ａと、その一端に形成され片側に延びた略長方形のつば部４９ｂからなり、筒部４９ａが対物レンズ１２の鏡筒に嵌合され、止めネジ５０で固定される。対物レンズ１２の鏡筒は、その光軸を回動中心として回動可能であり、これに固定した遮光板４９を検者が手動で対物レンズ１２の鏡筒とともに前記光軸を回動中心として回動させることができる。
【００４７】
図１３は左眼の無散瞳撮影のための遮光状態を示しており、被検者３２の右眼の前方は遮光板４９のつば部４９ｂにより遮光され、左眼の前方は遮光板４９により遮光されないものの、対物レンズ１２により遮光される。右眼の無散瞳撮影を行う場合は遮光板４９を図１３の状態から１８０°回動させることにより、上記と左右が逆の遮光状態になる。散瞳撮影を行う場合は遮光板４９を図１３の状態、或いはそれから１８０°回動させた状態から適当な角度、例えば９０°回動させることにより、両眼とも遮光板４９により前方が遮光されない状態となる。このような本実施形態によれば第１〜第５の実施形態と同様の効果が得られる。
【００４８】
【発明の効果】
以上の説明から明らかなように、本発明によれば、被検者の眼に外部光が入射するのを防ぐための遮光板であって、右眼の前方を遮光して左眼の前方を遮光しない第１の遮光状態と、左眼の前方を遮光して右眼の前方を遮光しない第２の遮光状態と、両眼とも前方を遮光しない非遮光状態に切り換えられるように動作可能な遮光板を備えた眼科撮影装置の構成を採用したので、被検者の眼に外部光が入射するのを防ぐための遮光自体と、遮光状態と非遮光状態の切り換えとを簡単に行なうことができる。
【００４９】
また、遮光板の状態が前記第１の遮光状態、第２の遮光状態、及び非遮光状態のいずれであるかを検出し、その検出結果に応じて、眼科撮影装置の左右の内部固視灯の点灯、消灯を制御する、ないしは撮影モードを例えば散瞳撮影モードまたは無散瞳撮影モードに切り換えるようにしたので、内部固視灯の点灯、消灯の制御、ないしは撮影モードの切り換えのための特別な操作を不要とし、操作を簡単にでき、操作性を向上できるという優れた効果が得られる。
【図面の簡単な説明】
【図１】本発明の第１の実施形態における眼底カメラの全体の外観を示す側面図である。
【図２】同眼底カメラの遮光板の構造と動作を説明する上面図（Ａ）及び正面図（Ｂ）である。
【図３】同眼底カメラの光学系の構成を示す構成図である。
【図４】同眼底カメラの遮光板の位置に応じた制御を行なう制御系の構成を示すブロック図である。
【図５】図４の制御系による制御内容を示す表図である。
【図６】第２の実施形態の遮光板の構造と動作を説明する上面図（Ａ）及び正面図（Ｂ）である。
【図７】第３の実施形態の眼底カメラ全体の外観を示す側面図である。
【図８】第３の実施形態の遮光板ホルダと遮光板の構造と動作を説明する上面図（Ａ）及び正面図（Ｂ）である。
【図９】第４の実施形態の眼底カメラ全体の外観を示す側面図である。
【図１０】第４の実施形態の遮光板ホルダと遮光板の構造と動作を説明する上面図（Ａ）及び正面図（Ｂ）である。
【図１１】第５の実施形態の遮光板ホルダと遮光板のユニットを支柱に装着した状態と取り外した状態を示す斜視図である。
【図１２】第５の実施形態の遮光板ホルダと遮光板の構造と動作を説明する上面図である。
【図１３】第６の実施形態の遮光板の構造と使用状態を示す一部断面上面図である。
【図１４】第６の実施形態の遮光板の正面側の斜視図（Ａ）、及び背面側の斜視図（Ｂ）である。
【符号の説明】
１  観察用光源
３  ストロボ（撮影用光源）
６  赤外フィルタ
１２  対物レンズ
１９  リターンミラー
２０  接眼レンズ
２２  赤外ＣＣＤ
２３  モニタ
２４  写真フィルム
２５  眼底カメラ本体
２８  支柱
２９  顎台
３１，３９，４１，４４，４７，４９  遮光板
３３  遮光板位置センサ
３４  制御部
３６  内部固視灯
３７  ミラー駆動回路
３８  赤外フィルタ駆動回路
４０，４２，４５  遮光板ホルダ
５０  止めネジ
【図１】
2005006870.tif 000003
【図２】
2005006870.tif 000004
【図３】
2005006870.tif 000005
【図４】
2005006870.tif 000006
【図５】
2005006870.tif 000007
【図６】
2005006870.tif 000008
【図７】
2005006870.tif 000009
【図８】
2005006870.tif 000010
【図９】
2005006870.tif 000011
【図１０】
2005006870.tif 000012
【図１１】
2005006870.tif 000013
【図１２】
2005006870.tif 000014
【図１３】
2005006870.tif 000015
【図１４】
2005006870.tif 000016